(57)【特許請求の範囲】
【請求項１】
少なくとも紙層からなる基材層と、該基材層の一方の面に熱接着性樹脂層からなる内層と、他方の面に熱接着性樹脂層からなる外層とを備えた積層体からなるゲーベルトップ型の紙容器で、該紙容器から内容物を注ぎ出す際の注出口となるように、該紙容器に該紙容器の前記内層を残して前記外層と前記基材層とに、上側部に非切断部を有する略円形状と該略円形状の下半円弧を下端屈曲部とする略Ｖ字形状とを組み合わせた形状からなる切刃が形成されていることを特徴とする紙容器。
【請求項２】
前記基材層が、前記紙層と該紙層の内層側に位置する内容物保護層とを備えたことを特徴とする請求項１記載の紙容器。
【請求項３】
前記熱接着性樹脂層が高圧法低密度ポリエチレン、中密度ポリエチレンのいずれかであることを特徴とする請求項１または２記載の紙容器。
【請求項４】
前記内層が２５〜７０μｍの厚さであることを特徴とする請求項１〜３のいずれかに記載の紙容器。
【請求項５】
前記切刃が屋根形状をした斜面に形成されていることを特徴とする請求項１記載の紙容器。
【発明の詳細な説明】
【０００１】
【発明の属する技術分野】
本発明は、液状物あるいは顆粒状物などの内容物を収容する紙容器に関し、さらに詳しくは、前記紙容器に収容された内容物を前記紙容器から注ぎ出すための注出口を容易に形成することができるゲーベルトップ型の紙容器に関するものである。
【０００２】
【従来の技術】
従来、ゲーベルトップ型の紙容器としては、一般的に、高圧法低密度ポリエチレン（ＬＤＰＥ）／紙／ＬＤＰＥ、ＬＤＰＥ／紙／ＬＤＰＥ／アルミ箔／接着剤／２軸延伸ポリエチレンテレフタレート（ＰＥＴ）／ＬＤＰＥ又は中密度ポリエチレン（ＭＤＰＥ）又は線状低密度ポリエチレン（ＬＬＤＰＥ）からなる構成のものが使用されているし、また、上記構成において、アルミ箔とＰＥＴとの積層工程を省略した低価格の、ＬＤＰＥ／紙／ＬＤＰＥ／アルミ蒸着層／ＰＥＴ／ＬＤＰＥ、ないしはＬＤＰＥ／紙／ＬＤＰＥ／シリカ蒸着層／ＰＥＴ／ＬＤＰＥ、ないしはＬＤＰＥ／紙／ＬＤＰＥ／アルミ箔／ＬＤＰＥからなる構成のものも使用されている。
【０００３】
上記いずれの構成からなる紙容器も、その注出口については▲１▼成形品からなる注出具を取り付けて該注出具を注出口とするもの、▲２▼紙容器に穴をあけて、該穴部を再度密封シートで塞ぎ、該密封シートを剥がすあるいは突き破ることにより注出口とするもの、▲３▼天部熱接着部に抗熱接着剤を塗工して天部熱接着部を開封しやすくし、該天部熱接着部を開封することにより注出口とするもの等が一般的である。
【０００４】
しかし、▲１▼の注出口は注出具のコストが高い上に加工工数が増えて加工コストも高くなり、▲２▼の注出口は▲１▼の注出具を用いる注出口より材料コストは安いが、▲１▼の注出口同様に加工工数が増えて加工コストが高くなり、▲３▼の注出口は▲１▼、▲２▼の注出口よりも材料コストは安いが、密封性と開封性の相反する機能を満たさねばならない難しさと開封時の注出口が美観的に好ましくない、といった問題がある。
【０００５】
【発明が解決しようとする課題】
そこで本発明の目的は、コストの高い注出具等を用いることなく、また、加工工数が増えることによる加工コストの増加もなく、密封性と開封性の相反する機能を容易に満たすことができると共に、開封時の美観も良好な注出口を容易に形成することができる紙容器を提供することにある。
【０００６】
【課題を解決するための手段】
本発明者は、上記目的を達成するために、請求項１記載の発明の紙容器は、少なくとも紙層からなる基材層と、該基材層の一方の面に熱接着性樹脂層からなる内層と、他方の面に熱接着性樹脂層からなる外層とを備えた積層体からなるゲーベルトップ型の紙容器で、該紙容器から内容物を注ぎ出す際の注出口となるように、該紙容器に該紙容器の前記内層を残して前記外層と前記基材層とに、上側部に非切断部を有する略円形状と該略円形状の下半円弧を下端屈曲部とする略Ｖ字形状とを組み合わせた形状からなる切刃が形成されていることを特徴とするものである。このように構成することにより、密封性に優れた紙容器とすることができると共に、紙容器の展開寸法に型抜きするときに注出口となる切刃を同時に形成し、ストローを挿入して吸い出すこともでき、且つ内容物を注ぎ出す注出口とすることができる。
【０００７】
また、請求項２に記載の発明は、請求項１記載の紙容器において、前記基材層が、前記紙層と該紙層の内層側に位置する内容物保護層とを備えたことを特徴とするものである。このように構成することにより、バリアー性に優れた紙容器とすることができる。
【０００８】
また、請求項３に記載の発明は、請求項１または２のいずれかに記載の紙容器において、前記熱接着性樹脂層が高圧法低密度ポリエチレン、中密度ポリエチレンのいずれかであることを特徴とするものである。このように構成することにより、容易に熱接着することができ、生産性と密封性に優れた紙容器とすることができる。
【０００９】
また、請求項４に記載の発明は、請求項１〜３のいずれかに記載の紙容器において、前記内層が２５〜７０μｍの厚さであることを特徴とするものである。このように構成することにより、意識的に開封操作を行うときには容易に開封することができる反面、通常のハンドリングや運搬中等においては、密封性に優れた紙容器とすることができる。
また、請求項５に記載の発明は、請求項１に記載の紙容器において、前記切刃が屋根形状をした斜面に形成されていることを特徴とするものである。このように構成することにより、注出口を紙容器の最良な位置に形成することができる。
【００１１】
【発明の実施の形態】
以下に本発明について、図面等を用いてさらに詳しく説明する。
まず、本発明の紙容器について説明すると、ゲーベルトツプ型の紙容器であって、たとえば、高圧法低密度ポリエチレン（ＬＤＰＥ）／紙／ＬＤＰＥ、あるいは、ＬＤＰＥ／紙／ＬＤＰＥ／アルミ箔／ＬＤＰＥ又は中密度ポリエチレン（ＭＤＰＥ）、あるいは、ＬＤＰＥ／紙／ＬＤＰＥ／エチレン−酢酸ビニル共重合体ケン化物／ＬＤＰＥ又はＭＤＰＥ、あるいは、ＬＤＰＥ／紙／ＬＤＰＥ／ポリ塩化ビニリデン／ＬＤＰＥ又はＭＤＰＥからなる構成のもの、あるいは、ＬＤＰＥ／紙／ＬＤＰＥ／アルミ箔／接着剤／２軸延伸ポリエチレンテレフタレート（ＰＥＴ）／ＬＤＰＥ又はＭＤＰＥからなる構成のもの、あるいは、ＬＤＰＥ／紙／ＬＤＰＥ／アルミ蒸着層／ＰＥＴ／ＬＤＰＥ又はＭＤＰＥ、ＬＤＰＥ／紙／ＬＤＰＥ／シリカ蒸着層／ＰＥＴ／ＬＤＰＥ又はＭＤＰＥ、ＬＤＰＥ／紙／ＬＤＰＥ／アルミ蒸着層／２軸延伸ポリアミド（ＯＮ）／ＬＤＰＥ又はＭＤＰＥ、ＬＤＰＥ／紙／ＬＤＰＥ／シリカ蒸着層／ＯＮ／ＬＤＰＥ又はＭＤＰＥからなる構成のものを使用することができる。
【００１２】
図１は本発明にかかる紙容器の第１の実施形態を示す要部斜視図、図２は図１の紙容器のＸ−Ｘ線の断面図、図３は本発明にかかる紙容器の第２の実施形態の図１に示すＸ−Ｘ線の断面図、図４〜６は切刃の形状を示す平面図であり、図中の１，11は紙容器、２は基材層、２’は紙層、３は内層、４は外層、５は接着層、６は内容物保護層、20，21，22，23は切刃、30，31は熱接着性樹脂層をそれぞれ示す。
【００１３】
図１は本発明の紙容器の第１の実施形態を示す要部斜視図であって、本発明の第１の実施形態の紙容器１は、高圧法低密度ポリエチレン（ＬＤＰＥ）／紙／ＬＤＰＥ〔内容物側〕から構成され、紙容器１の屋根を形成する斜面に、紙容器１から内容物を注ぎ出す際に注出口となる略Ｖ字形状の切刃20が形成されている。この切刃20は、図２に示すように内層３の熱接着性樹脂層30であるＬＤＰＥを残し、紙層２’からなる基材層２とこの外側に設けられた熱接着性樹脂層31であるＬＤＰＥからなる外層４を切断するように設けられている。このように構成することにより、内容物は熱接着性樹脂層30により外部と遮断されて使用時まで密封状態で保護されると共に、使用時においては図１で示した前記略Ｖ字形状に形成された切刃20で囲まれた部分を手指等で押すことにより、前記熱接着性樹脂層30のＬＤＰＥを前記略Ｖ字形状に形成された切刃20の形状で容易に切断することができ、紙容器１に略Ｖ字形状の注出口を設けることができる。
【００１４】
図３は本発明の紙容器の第２の実施形態の図１に示すＸ−Ｘ線の断面図であって、本発明の第２の実施形態の紙容器11は、ＬＤＰＥ／紙／ＬＤＰＥ／シリカ蒸着層／ＰＥＴ／ＬＤＰＥ〔内容物側〕から構成されて、紙容器11から内容物を注ぎ出す際に注出口となる略Ｖ字形状の切刃20が、内層３の熱接着性樹脂層30であるＬＤＰＥを残し、熱接着性樹脂層31であるＬＤＰＥからなる外層４と、紙層２’と該紙層２’の内層３側にＬＤＰＥからなる接着層５を介して酸化珪素を蒸着したポリエステルフィルムからなる内容物保護層６が設けられた基材層２とを切断するように形成されている。このように構成することにより、内容物は使用時まで前記基材層２に設けられたガスバリアー性に優れたシリカ蒸着ＰＥＴと前記内層３の熱接着性樹脂層30であるＬＤＰＥにより外部と遮断されて密封状態で保護される。使用時には図１で示した前記略Ｖ字形状に形成された切刃20で囲まれた部分を手指等で押すことにより、前記内層３のＬＤＰＥを前記略Ｖ字形状に形成された切刃20の形状で容易に切断することができ、紙容器11に略Ｖ字形状の注出口を設けることができる。
【００１５】
前記内層３の厚さとしては、25〜70μｍが適当であり、好ましくは30〜60μｍである。この理由としては、25μｍより薄いと、紙容器を取扱う際に手指等が切刃を設けた部分を誤って押した時に切断してしまう可能性があり、また、70μｍより厚いと意識的に開封操作を行っても切断し難い可能性があるためである。
【００１６】
また、本発明の第２の実施形態で示した紙容器11においては、前記内層物保護層６をシリカ蒸着ＰＥＴを用いたもので説明したが、これに代えてアルミ蒸着ＰＥＴ、酸化アルミ蒸着ＰＥＴ、シリカ蒸着ＯＮ、アルミ蒸着ＯＮ、酸化アルミ蒸着ＯＮ、ＰＥＴ、ＯＮ、あるいは、エチレン−酢酸ビニル共重合体ケン化物、アルミニウム箔、ポリ塩化ビニリデン等の紙容器にガスバリアー性や強度等を付与するものを適宜用いることができる。また、前記熱接着性樹脂層30についても高圧法低密度ポリエチレン（ＬＤＰＥ）に限ることはなく、これについても内容物やその他の諸物性を考慮して中密度ポリエチレン（ＭＤＰＥ）を用いても構わない。
【００１７】
次に、本発明の紙容器に設ける切刃の形状について説明する。
図４は本発明の紙容器の屋根を形成する斜面に略円形状の切刃21を形成したものである。この切刃21は、内容物を吸い出すためのストロー挿入口として設けられているものである。この切刃21は、図４において上側部に一部切刃のない部分が設けられ、この切刃21で囲まれた部分からストローを挿入して、たとえば、内層３を切断した時に、この切刃21で囲まれた部分が内容物に混入しないようになっている。
【００１８】
図５は本発明の紙容器の屋根を形成する斜面に前記切刃20と前記切刃21との両方を組み合わせた切刃22を設けたものである。このような切刃22を設けることにより、内容物をストローで吸い出すこともできるし、また、本発明の第１、第２の実施形態で示したように、内容物を注ぎ出す注出口とすることもできる。
【００１９】
図６は本発明の紙容器の屋根を形成する斜面に略Ｕ字形状の切刃23を設けたものである。この使い方は、前記切刃20と同じであり説明は省略する。
【００２０】
このように本発明の紙容器に設ける切刃は色々な形状を採ることができ、上記した形状は、その代表的な形状を示したものであって、これに限ることはなく、要するに、ストローや手指等により、内容物を取り出すことができる注出口を容易に形成することができる形状であれば本発明に含まれるものである。
【００２１】
なお、本発明の紙容器に設ける切刃は、本発明の紙容器を展開寸法に型抜きする抜き型に一緒にセットすることにより、展開寸法に型抜きすると同時に形成することができる。
【００２２】
【発明の効果】
本発明の紙容器は、縷々説明してきたように、コストの高い注出具等を用いることなく、また、加工工数が増えることによる加工コストの増加もなく、密封性と開封性の相反する機能を容易に満たすことができると共に、開封時の美観も良好な注出口を容易に形成することができるという効果を奏するものである。
【図面の簡単な説明】
【図１】  本発明にかかる紙容器の第１の実施形態を示す要部斜視図である。
【図２】  図１の紙容器のＸ−Ｘ線の断面図である。
【図３】  本発明にかかる紙容器の第２の実施形態の図１に示すＸ−Ｘ線の断面図である。
【図４】、
【図５】、
【図６】  切刃の形状を示す平面図である。
【符号の説明】
１，11                        紙容器
２                            基材層
２’                          紙層
３                            内層
４                            外層
５                            接着層
６                            内容物保護層
20，21，22，23                切刃
30，31                        熱接着性樹脂層
【図１】
0004184490.tif 000002
【図２】
0004184490.tif 000003
【図３】
0004184490.tif 000004
【図４】
0004184490.tif 000005
【図５】
0004184490.tif 000006
【図６】
0004184490.tif 000007